【手続補正書】
【提出日】平成18年8月10日(2006.8.10)
【手続補正１】
【補正対象書類名】特許請求の範囲
【補正対象項目名】全文
【補正方法】変更
【補正の内容】
【特許請求の範囲】
【請求項１】
隆起領域を有するエンボス体および特定の領域にのみ施され、表面とコントラストを成す第１コーティングが、垂直方向と斜め方向とから交互に見たとき傾斜効果が生じるように、垂直方向から見ると少なくとも該コーティングの一部が完全に見え、斜め方向から見ると見えなくなるよう一体化されて成る光学可変構造体を備えたデータ担体であって、
前記光学可変構造体が少なくとも一部の領域に、前記第１コーティングの少なくとも一部の領域に重複して施されている第２コーティングを有して成るデータ担体において、
前記第２コーティングが、前記第１コーティング同様、表面とコントラストを成すことを特徴とするデータ担体。
【請求項２】
前記第２コーティングが前記エンボス体の隆起領域の少なくとも一部に対応して施されていることを特徴とする請求項１記載のデータ担体。
【請求項３】
凹版モチーフを有して成ることを特徴とする請求項２記載のデータ担体。
【請求項４】
前記エンボス体の少なくとも一部が前記凹版モチーフの領域に配されていることを特徴とする請求項３記載のデータ担体。
【請求項５】
前記第２コーティングが前記凹版モチーフと同じ色を有することを特徴とする請求項３または４記載のデータ担体。
【請求項６】
前記第２コーティングが前記凹版モチーフの一部であることを特徴とする請求項３〜５いずれか１項記載のデータ担体。
【請求項７】
前記第２コーティングが前記第１コーティングとコントラストを成す色を有することを特徴とする請求項１〜６いずれか１項記載のデータ担体。
【請求項８】
前記第１コーティングの色が前記第２コーティングの色と補色コントラストを成していることを特徴とする請求項１〜７いずれか１項記載のデータ担体。
【請求項９】
前記第１および第２コーティングが少なくとも部分的に重複して施されていることを特徴とする請求項１〜８いずれか１項記載のデータ担体。
【請求項１０】
前記光学可変構造体が金属の背景層を有して成ることを特徴とする請求項１〜９いずれか１項記載のデータ担体。
【請求項１１】
前記第１および/または第２コーティングが少なくとも特定の領域に機械読取り可能な特性を有することを特徴とする請求項１〜１０いずれか１項記載のデータ担体。
【請求項１２】
前記第１および/または第２コーティングが磁気特性、導電特性、または発光特性を有することを特徴とする請求項１１記載のデータ担体。
【請求項１３】
前記光学可変構造体に別の透明な光学可変層またはホイル素子が重畳されているか、または該構造体が該層または素子の下部に配されていることを特徴とする請求項１〜１２いずれか１項記載のデータ担体。
【請求項１４】
前記コーティングの１つが多色デザインされていることを特徴とする請求項１〜１３いずれか１項記載のデータ担体。
【請求項１５】
前記第１コーティングが印刷スクリーン体であることを特徴とする請求項１〜１４いずれか１項記載のデータ担体。
【請求項１６】
前記スクリーン体が一定のスクリーン線間隔を有するライン・スクリーンであることを特徴とする請求項１〜１５いずれか１項記載のデータ担体。
【請求項１７】
前記ライン・スクリーンが相隔たる有色ライン、または隣接当接している有色ラインから成ることを特徴とする請求項１６記載のデータ担体。
【請求項１８】
前記ライン・スクリーンが少なくとも特定の領域に肥厚部を有することを特徴とする請求項１〜１７いずれか１項記載のデータ担体。
【請求項１９】
前記前記ライン・スクリーンが一方の側のみに肥厚部を有することを特徴とする請求項１８記載のデータ担体。
【請求項２０】
前記ライン・スクリーンがハーフトーン画像を表していることを特徴とする請求項１８または１９記載のデータ担体。
【請求項２１】
前記エンボス体がエンボス・スクリーン体であることを特徴とする請求項１〜２０いずれか１項記載のデータ担体。
【請求項２２】
前記エンボス体が一定のスクリーン線間隔を有するライン・スクリーンとして構成されていることを特徴とする請求項１〜２１いずれか１項記載のデータ担体。
【請求項２３】
前記エンボス体が特定の領域において異なるスクリーン線間隔を有することを特徴とする請求項１〜２１いずれか１項記載のデータ担体。
【請求項２４】
前記エンボス体および第２コーティングが有色凹版印刷体として形成されていることを特徴とする請求項１〜２３いずれか１項記載のデータ担体。
【請求項２５】
前記第１コーティングが暗色のライン・スクリーンであり、前記第２コーティングが明色のライン・スクリーンの形態を成していることを特徴とする請求項１〜２４いずれか１項記載のデータ担体。
【請求項２６】
前記エンボス体が高さの異なる隆起領域を有することを特徴とする請求項１〜２５いずれか１項記載のデータ担体。
【請求項２７】
前記エンボス体および第１コーティングが同じスクリーン線間隔を有することを特徴とする請求項１〜２６いずれか１項記載のデータ担体。
【請求項２８】
前記エンボス体がそれぞれ異なる部分エンボス体を備えた部分領域に細分割されていることを特徴とする請求項１〜２７いずれか１項記載のデータ担体。
【請求項２９】
前記部分領域が、横方向にｍ個の部分領域、縦方向にｎ個の部分領域を有する二次元マトリックスを構成し、前記ｍおよびｎが１以上であることを特徴とする請求項２８記載のデータ担体。
【請求項３０】
前記少なくとも２つの隣接部分領域の部分エンボス体が前記スクリーン線間隔の数分の一オフセット配置されていることを特徴とする請求項２８または２９記載のデータ担体。
【請求項３１】
少なくとも１つの前記部分領域における前記部分エンボス体がエンボス加工されていないエッジ輪郭を有することを特徴とする請求項２８〜３０いずれか１項記載のデータ担体。
【請求項３２】
少なくとも１つのコーティングの少なくとも一部の領域が半透明インクから成っていることを特徴とする請求項１〜３１いずれか１項記載のデータ担体。
【請求項３３】
有価証書であることを特徴とする請求項１〜３２いずれか１項記載のデータ担体。
【請求項３４】
隆起領域を有するエンボス体および特定の領域のみに施され、表面とコントラストを成す第１コーティングが、垂直方向と斜め方向とから交互に見たとき傾斜効果が生じるように、垂直方向から見ると少なくとも該コーティングの一部が完全に見え、斜め方向から見ると見えなくなるよう一体化されて成る光学可変構造体を備えたデータ担体を作製する方法であって、
前記第１コーティングを前記データ担体の特定の領域にのみ施すステップ、
エンボス加工具により前記データ担体にエンボス体を加工するステップであって、該エンボス体と共に、前記第１コーティングの少なくとも一部に重複して第２コーティングが前記データ担体に転写されることにより、前記第１コーティング同様、前記データ担体の表面とコントラストを成す前記第２コーティングの色が選択され、該第２コーティングが前記エンボス体の隆起領域の少なくとも一部に対応して転写されるステップ
の各ステップを有して成ることを特徴とする方法。
【請求項３５】
前記データ担体に凹版モチーフを形成し、前記エンボス体の少なくとも一部を前記凹版モチーフの領域に配することを特徴とする請求項３４記載の方法。
【請求項３６】
前記第１コーティングをオフセット印刷によって施すこと特徴とする請求項３４または３５記載の方法。
【請求項３７】
前記第１コーティングをライン・スクリーンとして施すことを特徴とする請求項３４〜３６いずれか１項記載の方法。
【請求項３８】
前記エンボス体および第２コーティングをインクを担持した凹版印刷によって施すことを特徴とする請求項３４〜３７いずれか１項記載の方法。
【請求項３９】
前記第２コーティングに色分割処理を施すことを特徴とする請求項３８記載の方法。
【請求項４０】
前記第１コーティングを最初に施し、第２ステップにおいて前記エンボス体および第２コーティングを同時に転写することを特徴とする請求項３４〜３９いずれか１項記載の方法。